(57)【要約】【課題】  グランドピアノのレピティションレバーにおいて、打弦動作における連打性能を向上することを目的とする。【解決手段】  レピティションレバー１６において、軸の一端側１６ｄの上部に、軸１６ｂの上方に配設されピアノ本体に固定されたドロップスクリューに当接して軸１６ｂの上向きの回動が停止される第一当接部材６を備え、且つ、軸の他端側１６ｅの下部に、ウィッペンに当接する第二当接部材７を備え、ストッパーに当接する第一当接部材６の当接面の硬度が変更できるように、軸の一端側１６ｄに、第一の当接部材６の縁端面を上下に押さえる係合部１６ｚを備え、第一当接部材６を係合部１６ｚに着脱可能に係合させる。【選択図】  図２
2005107001.tif 000002
【特許請求の範囲】
【請求項１】
軸方向の中間部がウィッペンに回動自在に支持され、該軸の一端側が該ウィッペンと離間し該軸の他端側が該ウィッペンに当接するようにスプリングに付勢され、該ウィッペンが鍵に突き上げられると、該軸の一端側が該ウィッペンと共に上向きに回動するグランドピアノのレピティションレバーであって、
前記軸の一端側の上部には、ピアノ本体に固定されたストッパーに当接して該軸の上向きの回動が停止される第一当接部材が備えられ、且つ、前記軸の他端側の下部には、前記ウィッペンに当接する第二当接部材が備えられ、
前記第一当接部材及び前記第二当接部材の少なくとも一方は、前記ストッパー又は前記ウィッペンに当接する当接面の硬度が変更できる、
ように構成されていることを特徴とするグランドピアノのレピティションレバー。
【請求項２】
前記軸の一端側又は他端側に、前記第一当接部材又は前記第二当接部材の縁端面を押さえる係合部を備え、
前記第一当接部材又は前記第二当接部材が、前記係合部に着脱可能に係合する、
ように構成されていることを特徴とする請求項１に記載のグランドピアノのレピティショレバー。
【請求項３】
前記第一当接部材が弾性体であって、
前記軸の一端側には、上方が開口した開口穴が設けられて、該開口穴の側壁の内面に該開口穴の深さ方向に沿って複数の凸部が形成され、
前記第一当接部材は、前記開口穴内に挿入され、前記複数の凸部の何れかにより上面が押さえられて係止される、
ように構成されていることを特徴とする請求項１に記載のグランドピアノのレピティショレバー。
【請求項４】
前記第一当接部材が弾性体であって、前記軸の上面に該第一当接部材の周縁部が固定され、
前記軸の一端側には、該軸を上下に貫通して該第一の当接部材に重なる第一のネジ孔と、該第一のネジ孔に螺合するネジが形成された第一のシャフトとを備え、
前記第一のシャフトが、前記軸の下方から前記第一のネジ孔に螺合し、該第一のシャフトの上端で前記第一当接部材を押し上げる、
ように構成されていることを特徴とする請求項１に記載のグランドピアノのレピティショレバー。
【請求項５】
前記第二の当接部材が弾性体であって、
前記軸の他端側には、前記軸の他端側に固定され、下端に前記第二当接部材の周縁部が固定される支持体と、該支持体を上下に貫通して該当接部材に重なる第二のネジ孔と、該第二のネジ孔に螺合するネジが形成された第二のシャフトとを備え、
前記第二のシャフトが、前記支持体の上方から前記第二のネジ孔に螺合し、該第二のシャフトの下端で前記第二当接部材を押し下げる、
ように構成されていることを特徴とする請求項１、請求項３、請求項４の何れか記載のグランドピアノのレピティショレバー。
【発明の詳細な説明】
【技術分野】
【０００１】
本発明は、グランドピアノのアクションに備えられるレピティションレバー
に関する。
【背景技術】
【０００２】
従来、図１に表したように、弦を打弦するハンマーが水平に張られた弦の下方にあり、このハンマーを下から上に突き上げて回動させ、打弦を行わせるグランドピアノのアクション１が知られている。
【０００３】
アクション１は、ウィッペンフレンジ１３を介してウィッペンレール１４に回動可能に支持され、キャプスタンスクリュー１２の上昇によって上向きに回動するウィッペン１５、その先端部にジャック案内孔１６ａを有し、ウィッペン１５の上昇によってウィッペン１５上方の支柱１５ａの先端に回転可能に支持されたレピティションレバー１６、ハンマーシャンク２ａの先端にハンマーヘッド２ｂが装着されたハンマー２などを備えている。
【０００４】
また、レピティションレバー１６は、アクション１において、軸方向の中間部がウィッペン１５に回動自在に支持され、軸の一端側１６ｄがウィッペン１５と離間すると共に軸の他端側１６ｅがウィッペン１５に当接するようにスプリング４に付勢され、ウィッペン１５が鍵に突き上げられると、軸の一端側１６ｄがウィッペン１５と共に上向きに回動するように構成されている。また、軸の一端側１６ｄの上部には、上向きの回動の際に、上方に配設されピアノ本体に固定されたドロップスクリュー（所謂、ストッパーである）５に当接するレバースキン（所謂、第一当接部材である）６が備えられ、且つ、軸の他端側１６ｅの下部には、押鍵前の位置でウィッペン１５に当接するフェルトボタン（所謂、第二当接部材である）２６が備えられている。
【０００５】
アクション１は、演奏者が押鍵すると、ウィッペン１５が突き上げられ、レピティションレバー１６及びジャック１８がウィッペン１５とともに上方に回動する。これらの回動に伴って、まず、レピティションレバー１６がシャンクローラ１９を介してハンマーシャンク２ａを押し上げ、上方に回動させる。次いで、レピティションレバー１６の一端側１６ｄがピアノ本体に固定されたドロップスクリュー５にレバースキン６を介して当接して上向きの回動が停止すると、ジャック１８がシャンクローラ１９を介してハンマーシャンク２ａを突き上げる。その後、レピティションレバー１６がスプリング４の付勢力で反時計方向に復帰回動することによって、鍵１１が押鍵前の位置に完全にもどらなくても次の打弦を行うことが可能となり、同じ弦２５をハンマー２で連打することができるように構成されている。
【０００６】
ところで、グランドピアノのアクション１は、演奏者の押鍵動作に伴って敏感に動作し、安定した連打性能が要求される。
そこで、グランドピアノのアクション１において、レピティションレバー１６を、Ｈ字形状を横向きにした断面とし、強度を保ちつつ重量を軽量化したものがある。そして、演奏者の押鍵動作に対するレピティションレバー１６の反応を敏感にし、連打性能を向上させようとするものがある（例えば、特許文献１参照）。
【特許文献１】特開平９−２８１９５９号公報（第２−３頁、第１−３図）
【発明の開示】
【発明が解決しようとする課題】
【０００７】
グランドピアノにおける鍵の連打性能は、レピティションレバー１６の形状や重量のほかに、ドロップスクリュー５に当接するレバースキン６の硬度や、ウィッペン１５に当接するフェルトボタン２６の硬度によっても変化する。
【０００８】
つまり、アクション１は、レピティションレバー１６に備えられたレバースキン６が柔らかくなるに従い、押鍵動作に伴ってレバースキン６がドロップスクリュー５に当接する際の、ハンマーシャンク２ａを押し上げる力や速度が低くなり、且つ、レピティションレバー１６がドロップスクリュー５から離れる際の復帰回動力が低くなる。
【０００９】
また、レピティションレバー１６に備えられたフェルトボタン２６が柔らかくなるに従い、フェルトボタン２６がスプリング４に付勢されてウィッペン１５に当接する際の変位量が大きくなって、レピティションレバー１６の軸の一端側１６ｄとウィッペン１５との離間距離が大きくなり、レピティションレバー１６を付勢するスプリング４の付勢力が弱くなるので、押鍵動作に伴ってハンマーシャンク２ａを押し上げる力や速度が低くなり、且つ、レピティションレバー１６がドロップスクリュー５から離れる際の復帰回動力が低くなる。
【００１０】
従って、レバースキン６やフェルトボタン２６の硬度によって、ハンマーシャンク２ａを押し上げる力及び速度、レピティションレバー１６の復帰回動力等が変化し、延いては、連打性能が変化し、押し鍵動作のタッチ感が変化する。
【００１１】
本発明は、こうした問題に鑑みなされたものであり、グランドピアノのレピティションレバーにおいて、ドロップスクリュー５に当接する当接部及びウィッペン１５に当接する当接部の硬度を調整し、打弦動作における連打性能や押し鍵動作のタッチ感を向上させることを目的とする。
【課題を解決するための手段】
【００１２】
かかる目的を達成するためになされた請求項１記載の発明は、軸方向の中間部がウィッペンに回動自在に支持され、該軸の一端側が該ウィッペンと離間し該軸の他端側が該ウィッペンに当接するようにスプリングに付勢され、該ウィッペンが鍵に突き上げられると、該軸の一端側が該ウィッペンと共に上向きに回動するグランドピアノのレピティションレバーであって、前記軸の一端側の上部には、ピアノ本体に固定されたストッパーに当接して該軸の上向きの回動が停止される第一当接部材が備えられ、且つ、前記軸の他端側の下部には、前記ウィッペンに当接する第二当接部材が備えられ、前記第一当接部材及び前記第二当接部材の少なくとも一方は、前記ストッパー又は前記ウィッペンに当接する当接面の硬度が変更できるように構成されていることを特徴とする。
【００１３】
請求項１に記載のグランドピアノのレピティションレバーによれば、第一当接部材及びウィッペンに当接する第二の当接部材が備えられ前記第一の当接部材及び第二当接部材の少なくとも一方が、ストッパー又はウィッペンに当接する当接面の硬度が変更できるように構成されているので、第一当接部材、第二当接部材等の硬度を変更することによって、ハンマーシャンクを押し上げる力や速度、レピティションレバーの復帰回動力を変化させ、連打性能や押し鍵動作のタッチ感を向上させることができ、且つ、演奏者の好みに合わせ、グランドピアノのアクションの連打性能を変更できる。
【００１４】
また、請求項１に記載のグランドピアノのレピティショレバーは、請求項２に記載の発明のように、前記軸の一端側又は他端側に、前記第一当接部材又は前記第二当接部材の縁端面を押さえる係合部を備え、前記第一当接部材又は前記第二当接部材が、前記係合部に着脱可能に係合するように構成されていることにより、第一当接部材及び第二当接部材を交換し、第一当接部材及び第二当接部材の硬度を容易に変更できる。
【００１５】
次に、請求項３に記載の発明は、請求項１に記載のグランドピアノのレピティショレバーにおいて、前記第一当接部材が弾性体であって、前記軸の一端側には、上方が開口した開口穴が設けられて、該開口穴の側壁の内面に該開口穴の深さ方向に沿って複数の凸部が形成され、前記第一当接部材は、前記開口穴内に挿入され、前記複数の凸部の何れかにより上面が押さえられて係止されるように構成されていることを特徴とする。
【００１６】
請求項３に記載のグランドピアノのレピティションレバーによれば、第一当接部材が弾性体であって、軸の一端側には、上方が開口した開口穴が設けられて、開口穴の側壁の内面に開口穴の深さ方向に沿って複数の凸部が形成され、第一当接部材は、開口穴内に挿入され、複数の凸部の何れかにより上面が押さえられて係止されるように構成されているので、第一当接部材の着脱が容易であって、第一当接部材を交換して第一の当接部材の硬度を容易に変更できる。
【００１７】
また、本グランドピアノのレピティションレバーによれば、第一当接部材が弾性体であって、開口穴の内壁に開口穴の深さ方向に沿って複数の凸部が形成されているので、第一当接部材を開口穴の中で押さえて厚みを変化させ、第一当接部材を押さえる凸部を変えることにより、第一当接部材の硬度を変更できる。
【００１８】
次に、請求項４に記載の発明は、請求項１に記載のグランドピアノのレピティショレバーにおいて、前記第一当接部材が弾性体であって、前記軸の上面に該第一当接部材の周縁部が固定され、前記軸の一端側には、該軸を上下に貫通して該第一当接部材に重なる第一のネジ孔と、該第一のネジ孔に螺合するネジが形成された第一のシャフトとを備え、前記第一のシャフトが、前記軸の下方から前記第一のネジ孔に螺合し、該第一のシャフトの上端で前記第一当接部材を押し上げるように構成されていることを特徴とする。
【００１９】
請求項４に記載のグランドピアノのレピティションレバーによれば、第一当接部材、弾性体であって、軸の上面に第一当接部材の周縁部が固定され、軸の一端側には、軸を上下に貫通して第一当接部材に重なる第一のネジ孔と、第一のネジ孔に螺合するネジが形成された第一のシャフトとを備え、第一のスクリューが、軸の下方から第一のネジ孔に螺合し、第一のシャフトの上端で第一の当接部材を押し上げるように構成されているので、第一のシャフトを回転させることによって、第一当接部材を押し上げて第一当接部材の厚みを変化させ、第一の当接部材の硬度を容易に変更できる。
【００２０】
次に、請求項５に記載の発明は、請求項１、請求項３、請求項４の何れか記載のグランドピアノのレピティショレバーにおいて、前記第二当接部材が弾性体であって、前記軸の他端側には、前記軸の他端側に固定され、下端に前記第二当接部材の周縁部が固定される支持体と、該支持体を上下に貫通して該当接部材に重なる第二のネジ孔と、該第二のネジ孔に螺合するネジが形成された第二のシャフトとを備え、前記第二のシャフトが、前記支持体の上方から前記第二のネジ孔に螺合し、該第二のシャフトの下端で前記第二当接部材を押し下げるように構成されていることを特徴とする。
【００２１】
請求項５に記載のグランドピアノのレピティションレバーによれば、第二当接部材が弾性体であって、軸の他端側には、軸の他端側に固定され下端に第二当接部材の周縁部が固定される支持体と、支持体を上下に貫通して当接部材に重なる第二のネジ孔と、第二のネジ孔に螺合するネジが形成された第二のシャフトを備え、第二のシャフトが、支持体の上方から前記第二のネジ孔に螺合し、第二のシャフトの下端で第二当接部材を押し下げるように構成されているので、第二のシャフトを回転させることによって、第二当接部材を押し上げて第二当接部材の厚みを変化させ、第二当接部材の硬度を容易に変更できる。
【発明を実施するための最良の形態】
【００２２】
以下、本発明の実施例を図面と共に説明する。
【実施例１】
【００２３】
図１は、本発明の実施例１のグランドピアノのレピティションレバーが適用されるグランドピアノのアクションの全体構成を表す側面図、図２（ａ）は同実施例１のグランドピアノのレピティションレバーにおいて、第一当接部材の係合部を表す外観斜視図、図２（ｂ）は図２（ａ）中のＰ−Ｐ断面図である。尚、本発明のグランドピアノのレピティションレバーが適用されるグランドピアノのアクションの全体構成は、従来例と同じであるので、従来例と同様に図１を用いて説明する。
【００２４】
図１に表したように、アクション１は、鍵１１が押されると上昇するキャプスタンスクリュー１２と、ウィッペンフレンジ１３を介してウィッペンレール１４に回動可能に支持され、キャプスタンスクリュー１２の上昇によって上向きに回転するウィッペン１５と、その先端部にジャック案内孔１６ａを有し、ウィッペン１５上方の支柱１５ａの先端に回転可能に支持されたレピティションレバー１６と、ウィッペン１５の先端に回転可能に連結され、ハンマー突き上げ部がレピティションレバー１６のジャック案内孔１６ａの内部に位置し、レギュレーティングボタン当接部１８ｂがレギュレーティングボタン１７に当接するまでウィッペン１５と共に上昇するジャック１８と、レピティションレバー１６の上面に当接し、ジャック１８のハンマー突き上げ部に突き上げられるとレピティションレバー１６の上面から離間するシャンクローラ１９と、シャンクフレンジ２０を介してシャンクレール２１に回動可能に支持されシャンクローラ１９が突き上げられると上向きに回動するハンマーシャンク２ａと、ハンマーシャンク２ａの先端に装着されたハンマーヘッド２ｂとを備えている。
【００２５】
レピティションレバー１６は、軸の中間部１６ｃがウィッペン１５に回動自在に支持され、軸の一端側１６ｄがウィッペン１５と離間すると共に軸の他端側１６ｅがウィッペン１５に当接するようにスプリング４に付勢され、ウィッペン１５が鍵１１に突き上げられると、軸の一端側１６ｄがウィッペン１５と共に上向きに回動するように構成されている。
【００２６】
また、レピティションレバー１６は、軸の一端側１６ｄの上部には、レピティションレバー１６の上方に配設されピアノ本体に固定されたドロップスクリュー（所謂、本発明のストッパーである）５に当接して上向きの回動が停止される第一当接部材６が備えられ、且つ、軸の他端側１６ｅの下部には、ウィッペン１５に当接する第二当接部材２６が備えられている。
【００２７】
前述の構成を有するアクション１は、演奏者によって鍵１１が押鍵されると、キャプスタンスクリュー１２を介してウィッペン１５が突き上げられることにより、レピティションレバー１６及びジャック１８がウィッペン１５と共に上方に回動する。これらの回動に伴い、まず、レピティションレバー１６が、シャンクローラ１９を摺動させながらハンマーシャンク２ａを押し上げて上方に回動させる。次いで、レピティションレバー１６の一端側１６ｄが第一当接部材６を介してドロップスクリュー５に当接してその上方への回動が停止すると、ジャック１８のハンマー突き上げ部がシャンクローラ１９を突き上げる。引き続き鍵１１が押鍵されると、ハンマーシャンク２ａの先端に取り付けられたハンマーヘッド２ｂが、上方に張られた弦２５を打弦する直前まで回転した時点で、ジャック１８のレギュレーティングボタン当接部１８ｂが、レギュレーティングボタン１７に係合することによって、ジャック１８のハンマー突き上げ部がシャンクローラ１９の下面から離脱する。すると、ハンマーシャンク２ａ及びハンマーヘッド２ｂは、鍵１１との連結が離れ、自身の慣性によって回転し、弦２５を打弦する。
【００２８】
また、上述のように押鍵されたのちに鍵１１が離鍵されると、鍵１１が鍵盤深さの１／３程度まで戻されたタイミングにてレピティションレバー１６が作動し始め、レピティションレバー１６がスプリング４の付勢力で復帰回転（図の反時計方向に回転）することによって、シャンクローラ１９を摺動させながら押し上げる。これにより、ジャック１８がスプリング４の付勢力で復帰回転（図の反時計方向に回転）し、ハンマー突き上げ部がシャンクローラ１９の下方に移動することによって、鍵１１が完全に戻らなくても次の打弦が行えるようになる。この状態においては、トリルのように連続して鍵を叩く奏法を行うことができる。
【００２９】
次に、図２（ａ）に示すように、レピティションレバー１６は、軸の一端側１６ｄの上部に第一当接部材６を着脱可能に係合する係合部１６ｚを備えている。
係合部１６ｚは、軸の１６ｂの上部に形成された開口穴１６ｆと、開口穴１６ｆの側壁１６ｇ、１６ｈの上端から内側に向かって延設された延出部材１６ｊ、１６ｋと、側壁１６ｇ、１６ｈの前方に形成されたスリット１６ｍとを備えている。また、第一当接部材６は、例えば、レバースキンやフェルトなどの弾性体で形成されている。
【００３０】
レピティションレバー１６は、第一当接部材６をレピティションレバー１６の係合部１６ｚに係合させる際に、第一当接部材６を図２（ａ）中の矢視Ｑのように、スリット１６ｍを介して開口穴１６ｆに挿入し、図２（ｂ）に示すように、第一当接部材６の縁端面６ａ、６ｂを延出部材１６ｊ、１６ｋによって押さえて係合するように構成されている。尚、第一当接部材６が弾性体であるので、縁端面６ａ、６ｂが延出部材１６ｊ、１６ｋによって押さえられると、ドロップスクリュー５に当接する当接面６ｃが縁端面６ａ、６ｂより上方に突き出し係合される。
【００３１】
また、第一当接部材６をレピティションレバー１６より取り外す際には、スリット１６ｍより、第一当接部材６を把持する工具を差込み、第一当接部材６を開口穴１６ｆの外に引き出せばよい。
【００３２】
以下に、前述の構成を有するレピティションレバー１６の作用、効果を記載する。
実施例１に記載のグランドピアノのレピティションレバー１６によれば、軸の一端側１６ｄに、第一当接部材６の縁端面６ａ、６ｂを押さえる係合部１６ｚを備え、係合部１６ｚに第一当接部材６を着脱可能であるので、第一の当接部材６を交換し、第一当接部材６の硬度を容易に変更できる。そして、第一当接部材６の硬度を変更することによって、グランドピアノのアクション１のタッチを向上させることができ、且つ、演奏者の好みに合わせ、グランドピアノのアクション１のタッチを変更できる。つまり、第一当接部材６の硬度を変えることによって、ハンマーシャンク２ａを押し上げる力や速度、レピティションレバー１６の復帰回動力を変化させ、タッチ感を向上させることができ、且つ、演奏者の好みに合わせ、グランドピアノのアクション１のタッチを変更できる。
【実施例２】
【００３３】
次に、図３を用いて、本発明の実施例２について説明する。図３（ａ）は、の本発明のグランドピアノのレピティションレバーが適用された実施例２における、第一当接部材の係合部の構成を表す外観斜視図、図３（ｂ）は図３（ａ）中のＰ−Ｐ断面図である。尚、実施例２におけるレピティションレバー１６Ａの全体構成は、基本的に実施例１で表したレピティションレバー１６と同じ構成なので詳細な説明を省き、特徴となる部分について説明する。
【００３４】
図３（ａ）に示すように、レピティションレバー１６Ａは、軸の一端側１６ｄの上部に第一当接部材６を着脱可能に係合する係合部１６ｙを備えている。
係合部１６ｙは、軸の１６ｂの上部に形成された開口穴１６ｆと、開口穴１６ｆの側壁１６ｇ、１６ｈの内面に深さ方向に沿って形成された凸部１６ｐ、１６ｑ、１６ｒと、側壁１６ｇ、１６ｈの前方に形成されたスリット１６ｍとを備えている。また、第一当接部材６は、例えば、レバースキンやフェルトなどの弾性体で形成されている。
【００３５】
レピティションレバー１６Ａは、第一の当接部材６を係合部１６ｙに係合させる際に、第一当接部材６が図３（ａ）中の矢視Ｑのように上方より開口穴１６ｆに挿入され、図３（ｂ）に示すように、第一当接部材６の縁端面６ａ、６ｂが凸部１６ｐによって押さえられ係止される。また、第一当接部材６が弾性体であるので、第一当接部材６を開口穴１６ｆの中で下方に押さえると、複数の凸部１６ｐ、１６ｑ、１６ｒの何れかで縁端面６ａ、６ｂを押さえて係止できるように構成されている。
【００３６】
また、第一当接部材６をレピティションレバー１６Ａより取り外す際には、スリット１６ｍより、第一当接部材６を把持する工具を差込み、第一当接部材６を開口穴１６ｆの外に引き出せばよい。
【００３７】
以下に、前述の構成を有する実施例２のレピティションレバー１６の作用、効果を記載する。
実施例２のグランドピアノのレピティションレバー１６Ａによれば、第一当接部材６が弾性体であって、軸の一端側１６ｄには、上方が開口した開口穴１６ｆが設けられて、開口穴１６ｆの側壁１６ｇ、１６ｈの内面に開口穴１６ｆの深さ方向に沿って凸部１６ｐ、１６ｑ、１６ｒが並設され、第一当接部材６は、凸部１６ｐ、１６ｑ、１６ｒの何れかによってその上面が押さえられて係止されるように構成されているので、第一当接部材６の着脱が容易であって、第一当接部材６を交換して第一当接部材６の硬度を変更できる。
【００３８】
また、実施例２のグランドピアノのレピティションレバー１６Ａによれば、第一当接部材６が弾性体であって、開口穴１６ｆには複数の凸部が１６ｐ、１６ｑ、１６ｒが形成されているので、第一の当接部材６を開口穴１６ｆの中で深さ方向に押さえて厚みを変化させ、複数の凸部１６ｐ、１６ｑ、１６ｒの内、第一当接部材６を係止する凸部を変えることにより、第一の当接部材６の硬度を変更できる。
【実施例３】
【００３９】
次に、図４を用いて、本発明の実施例３について説明する。図４（ａ）は、の本発明のグランドピアノのレピティションレバーが適用された実施例３における、第一当接部材の装着部の構成を表す外観斜視図、図４（ｂ）は図４（ａ）中のＰ−Ｐ断面図である。尚、実施例３におけるレピティションレバー１６Ｂの全体構成は、基本的に実施例１で表したレピティションレバー１６と同じ構成なので詳細な説明を省き、特徴となる部分について説明する。
【００４０】
図４（ａ）に表したように、レピティションレバー１６Ｂは、軸の一端側１６ｄの上部に、上方が開口した開口穴１６ｓが設けられて、開口穴１６ｓの中に上下にスライド可能に板状の仕切り板（図４（ｂ）中の符合３１）が挿入され、開口穴１６ｓの内方に、軸１６ｂを上下に貫通して第一当接部材６に重なる第一のネジ孔１６ｗが形成され、開口穴１６ｓの周囲上面に、第一当接部材６の周縁が接着される接着面（図中のハッチング部）１６ｕが設けられている。また、レピティションレバー１６Ｂには、第一のネジ孔１６ｗに螺合するネジが形成された第一のシャフト３０が備えられている。また、第一当接部材６は、例えば、レバースキンやフェルトなどの弾性体で形成されている。
【００４１】
そして、図４（ｂ）に表したように、レピティションレバー１６Ｂは、開口穴１６ｓの接着面１６ｕに第一当接部材６の周縁部が接着され、第一のシャフト３０が軸１６ｂの下方から第一のネジ孔１６ｗに螺合して挿通される。
【００４２】
また、第一のシャフト３０は、上端が上方に進むように回転させると、第一のシャフト３０の上端が仕切り板３１に当接し、仕切り板３１を介して第一当接部材６を押し上げるように構成されている。
【００４３】
以下に、前述の構成を有する実施例３のレピティションレバー１６の作用、効果を記載する。
実施例３のグランドピアノのレピティションレバー１６によれば、第一当接部材６が弾性体であって軸１６ｂの上面に第一当接部材６の周縁部が固定され、軸の一端側１６ｄには、軸１６ｂを上下に貫通して第一当接部材６に重なる第一のネジ孔１６ｗと、第一のネジ孔１６ｗに螺合するネジが形成された第一のシャフト３０とを備え、第一のシャフト３０が、軸１６ｂの下方から第一のネジ孔１６ｗに螺合し、第一のシャフト３０の上端で仕切り板３１を介して第一当接部材６を押し上げるように構成されているので、第一のシャフト３０を回転させることによって、第一当接部材６を押し上げて第一当接部材６の厚みを変化させ、第一当接部材６の硬度を容易に変更できる。
【実施例４】
【００４４】
次に、図５を用いて、本発明の実施例４について説明する。図５（ａ）は、本発明のグランドピアノのレピティションレバーが適用された実施例５における、第二当接部材の装着部の構成を表す断面図である。実施例４におけるレピティションレバー１６Ｃの全体構成は、基本的に実施例１で表したレピティションレバー１６と同じ構成なので詳細な説明を省き、特徴となる部分について説明する。また、本実施例４は、実施例３における軸の一端側１６ｄに備えた第一当接部材６の装着部の構成を軸の他端側１６ｅに応用したものである。
【００４５】
図５（ａ）に表したように、レピティションレバー１６Ｃは、軸の他端側１６ｅに、ネジが形成されて軸１６ｂに螺合する第二のシャフト３２を備え、第二のシャフト３２の下側には第二当接部材７が固定された支持体３３が第二のシャフト３２に螺合している。
【００４６】
支持体３３には、下方が開口した開口穴３３ａが設けられて、開口穴３３ａの内方に、上下に貫通して第二当接部材７に重なる第二のネジ孔３３ｂが形成されている。
そして、レピティションレバー１６Ｃは、開口穴３３ａの内方に上下にスライド可能に仕切り板３４が挿入され、開口穴３３ａ周囲の下面に第二当接部材７の周縁部が接着され、第二のシャフト３２が軸１６ｂの上方から第二のネジ孔３３ｂに螺合して挿通されている。
【００４７】
また、レピティションレバー１６Ｃは、支持体３３に対して第二のシャフト３２を回転させ、第二のシャフト３２の下端が仕切り板３４に当接し、仕切り板３４を介して第二当接部材７を押し下げるように構成されている。
【００４８】
以下に、前述の構成を有する実施例４のレピティションレバー１６Ｃの作用、効果を記載する。
実施例４のグランドピアノのレピティションレバー１６Ｃによれば、第二当接部材７が弾性体であって、軸１６ｂの他端側１６ｅには、第二当接部材７の周縁部が固定される支持体３３と、支持体３３を上下に貫通して第二当接部材７に重なる第二のネジ孔３３ｂと、第二のネジ孔３３ｂに螺合するネジが形成された第二のシャフト３２を備え、第二のシャフト３２が、支持体３３の上方から第二のネジ孔３３ｂに螺合し、第二のシャフト３２の下端で第二の当接部材７を押し下げるように構成されているので、第二のシャフト３２を回転させることによって、第二の当接部材７を押し下げて第二当接部材７の厚みを変化させ、第二当接部材７の硬度を容易に変更できる。
（参考実験）
次に、レピティションレバー１６の第一当接部材６及び第二当接部材７の硬度を変化させてアクション１のタッチカーブの変化を模擬的に試験した結果を、図６を用いて説明する。本試験は、アクション１に取り付けられたレピティションレバー１６の第一当接部材６の上面に下向きの荷重を加えてレピティションレバー１６を押し下げ、荷重の変化に対する第一当接部材６の上面の変位量を表したものである。また、図６中において、Ａ、Ｂ、Ｃは、夫々、第一当接部材６及び第二当接部材７の硬度が異なるものであって、Ａ、Ｂ、Ｃの内、Ｂが最も硬度が高く、Ａは中間であって、Ｃは最も硬度が低いものである。図６において、縦軸は第一当接部材６を押し下げる荷重を示し、横軸は第一当接部材６の上面の下方向への変位量を示す。
【００４９】
試験の結果、図６に表したように、荷重の変化に対する変位量の変化の勾配が異なる、Ｓ１、Ｓ２、Ｓ３の範囲が存在することが判る。
即ち、Ｓ１の範囲では、第一当接部材６に加えられる荷重がスプリング４の付勢力より小さく、スプリング４は変位せず、第一当接部材６及び第二当接部材７が変位し、これらの弾性力が荷重となって発現している。
【００５０】
また、Ｓ２の範囲では、第一当接部材６に加えられる荷重がスプリング４の付勢力より大きくなってスプリング４が変位し始めるとともに、第一当接部材６及び第二当接部材７も変位し、スプリング４の付勢力と第一当接部材６及び第二当接部材７の弾性力が合成され荷重となって発現している。
【００５１】
また、Ｓ３の範囲では、第一当接部材６に加えられる荷重がスプリング４の付勢力より大きくスプリング４が変位し、第一当接部材６及び第二当接部材７は変位しない範囲にあって、スプリング４の付勢力が荷重となって発現している。
【００５２】
また、図６に表したように、硬度が低いほど（Ｃ、Ａ、Ｂの順に）、荷重に対して変位量が大きく、スプリング４が変位の開始が遅くなることが判る。
即ち、硬度が低いほど、ハンマーシャンク２ａを支える力や押し上げる力、レピティションレバー１６がドロップスクリュー５から離れる際の復帰回動力が低くなるものと考えられる。
【００５３】
本発明は、上述した実施例に限定されるものではなく、種々の態様を取ることができる。
例えば、実施例１におけるレピティションレバー１６において、軸の一端側１６ｄに、第一当接部材６を押さえる係合部１６ｚを備えたが、図５（ｂ）に表したように、軸の他端側１６ｅに、支持体３３に係合部１６ｚと同じ構成を有する係合部３３ｚを備え、第二当接部材７を係合部３３ｚに着脱可能にし、第二当接部材７の硬度を容易に変更できるように構成してもよい。
【００５４】
また、実施例２におけるレピティションレバー１６Ａにおいて、軸の一端側に開口穴１６ｙを設けて、開口穴１６ｙの側壁１６ｇ、１６ｈの内面に深さ方向に沿って複数の凸部１６ｐ、１６ｑ、１６ｒを形成したが、図５（ｃ）に表したように、軸の他端側１６ｅに、支持体３３の下方に開口した開口穴３３ｆを設けて、開口穴の側壁３３ｇ、３３ｈの内面に深さ方向に沿って複数の凸部３３ｐ、３３ｑ、３３ｒを形成し、第二当接部材７の縁端面が凸部３３ｐ、３３ｑ、３３ｒによって係止されるように構成してもよい。
【００５５】
また、第一当接部材６、第二当接部材の形状は、平板状に限定されることなく、種々の形状を用いてもよい。
【図面の簡単な説明】
【００５６】
【図１】本発明の実施例１のグランドピアノのレピティションレバーが適用されるグランドピアノのアクションの全体構成を表す側面図である。
【図２】（ａ）は同実施例１のグランドピアノのレピティションレバーの、第一当接部材の係合部を表す外観斜視図、（ｂ）は図２（ａ）中のＰ−Ｐ断面図である。
【図３】（ａ）は本発明の実施例２のグランドピアノのレピティションレバーの、第一当接部材の係合部を表す外観斜視図、（ｂ）は図３（ａ）中のＰ−Ｐ断面図である。
【図４】（ａ）は本発明の実施例３のグランドピアノのレピティションレバーの、第一当接部材の装着部の構成を表す外観斜視図、（ｂ）は図４（ａ）中のＰ−Ｐ断面図である。
【図５】（ａ）は本発明の実施例４のグランドピアノのレピティションレバーの、第二当接部材の装着部の構成を表す断面図、（ｂ）、（ｃ）は第二当接部材の装着部の変形例を表す断面図である。
【図６】第一当接部材及び第２当接部材の硬度を変化させてアクションの連打性能の変化を模擬的に試験した結果を表した図である。
【符号の説明】
【００５７】
１…アクション、２…ハンマー、２ａ…ハンマーシャンク、２ｂ…ハンマーヘッド、４…スプリング、５…ドロップスクリュー、６…第一当接部材（レバースキン）、６ａ，６ｂ…縁端面、６ｃ…当接面、…、…、１１…鍵、１２…キャプスタンスクリュー、１３…ウィッペンフレンジ、１４…ウィッペンレール、１５…ウィッペン、１５ａ…支柱、１５ｂ…レピティションスプリング、１５ｃ…センターピン孔、１６，１６Ａ，１６Ｂ，１６Ｃ…レピティションレバー、１６ａ…ジャック案内孔、１６ｂ…軸、１６ｃ…軸の中間部、１６ｄ…軸の一端側、１６ｅ…軸の他端側、１６ｙ，１６ｚ，３３ｚ…係合部、１６ｆ，１６ｓ，３３ａ，３３ｆ…開口穴、１６ｇ，１６ｈ，３３ｇ，３３ｈ…側壁、１６ｊ，１６ｋ…延出部材、１６ｍ…スリット、１６ｐ，１６ｑ，１６ｒ，３３ｐ，３３ｑ，３３ｒ…凸部、１６ｕ…接着面、１６ｗ…第一のネジ孔、１７…レギュレーティングボタン、１８…ジャック、１８ｂ…レギュレーティングボタン当接部、１９…シャンクローラ、１９ａ…シャンクローラフレンジ、２０…シャンクフレンジ、２１…シャンクレール、２２…ハンマーシャンク、２３…ハンマーヘッド、２５…弦、２６…第二当接部材（フェルトボタン）、３０…第一のシャフト、３１，３４…仕切り板、３２…第二のシャフト、３３…支持体、３３ｂ…第二のネジ孔。
【図１】
2005107001.tif 000003
【図２】
2005107001.tif 000004
【図３】
2005107001.tif 000005
【図４】
2005107001.tif 000006
【図５】
2005107001.tif 000007
【図６】
2005107001.tif 000008